(57)【特許請求の範囲】
【請求項１】
車両後部に配置される車両空調用冷却ユニットであって、
空気を冷却する冷却用熱交換器と、
この冷却用熱交換器の空気下流側に対向するように所定間隔を介して配置され、かつ空気流通用の空気開口を有する対向壁部材と、
この対向壁部材より空気下流側に区画形成された空気チャンバーと、
この空気チャンバー内に設置された送風機と、
前記空気チャンバーに接続されるとともに車両前後方向に延びるように配置され、この空気チャンバー内の空気を車両空調対象部位に導く吹出ダクトとを具備し、
前記冷却用熱交換器は車両幅方向に延びる横長形状であり、
前記空気チャンバーは車両幅方向に延びるように形成され、
前記空気チャンバーは車両幅方向に延びる形状であり、
前記送風機は前記空気チャンバー内にて車両幅方向に複数配置され、
前記複数の送風機は、前記空気開口の直後に配置され、前記空気開口から吸入した空気を送風する遠心式多翼ファンと、この遠心式多翼ファンを内蔵するケーシングと、このケーシングに設けられ、前記遠心式多翼ファンの送風空気を前記空気チャンバー内に吹き出す吹出口とを有することを特徴とする車両空調用冷却ユニット。
【請求項２】
車両後部に配置される車両空調用冷却ユニットであって、
水平方向に空気が流れるように配置され、空気を冷却する冷却用熱交換器と、
この冷却用熱交換器の空気下流側を上方側流路と下方側流路とに分割する隔壁部材と、
この隔壁部材により分割された前記上方側流路において前記冷却用熱交換器と対向するように配置された第１の対向壁部材と、
前記隔壁部材により分割された前記下方側流路において前記冷却用熱交換器と対向するように配置された第２の対向壁部材と、
前記第１の対向壁部材に設けられた第１の空気開口と、
前記第２の対向壁部材に設けられた第２の空気開口と、
前記上方側流路において、前記第１の対向壁部材より空気下流側に区画形成された第１の空気チャンバーと、
前記下方側流路において、前記第２の対向壁部材より空気下流側に区画形成された第２の空気チャンバーと、
前記第１の空気チャンバー内に設置された第１の送風機と、
前記第２の空気チャンバー内に設置された第２の送風機と、
前記第１の空気チャンバーに接続されるとともに車両前後方向に延びるように配置され、この第１の空気チャンバー内の空気を第１の車両空調対象部位に導く第１の吹出ダクトと、
前記第２の空気チャンバーに接続されされるとともに車両前後方向に延びるように配置され、この第２の空気チャンバー内の空気を第２の車両空調対象部位に導く第２の吹出ダクトとを具備し、
前記冷却用熱交換器は車両幅方向に延びる横長形状であり、
前記第１の空気チャンバーおよび前記第２の空気チャンバーは車両幅方向に延びるように形成され、
前記第１の送風機は前記第１の空気チャンバー内にて車両幅方向に複数配置され、前記第２の送風機は前記第２の空気チャンバー内にて車両幅方向に複数配置され、
前記第１の送風機および前記第２の送風機は、それぞれ、前記第１、第２の空気開口の直後に配置され、前記第１、第２の空気開口から吸入した空気を送風する遠心式多翼ファンと、この遠心式多翼ファンを内蔵するケーシングと、このケーシングに設けられ、前記遠心式多翼ファンの送風空気を前記第１、第２の空気チャンバー内に吹き出す吹出口とを有することを特徴とする車両空調用冷却ユニット。
【請求項３】
前記送風機が車両幅方向に少なくとも３個以上並列配置されていることを特徴とする請求項１または２に記載の車両空調用冷却ユニット。
【請求項４】
前記少なくとも３個以上の送風機の吹出方向が、それぞれ階段状にずれるように、前記少なくとも３個以上の送風機が車両幅方向に階段状に並列配置されていることを特徴とする請求項３に記載の車両空調用冷却ユニット。
【請求項５】
前記少なくとも３個以上の送風機が車両幅方向に直線状に配置され、
かつ前記吹出ダクトが前記少なくとも３個以上の送風機の車両幅方向中央部位に位置するように配設されており、
前記少なくとも３個以上の送風機から前記空気チャンバー内に空気を吹き出す前記吹出口が、前記吹出ダクトの方向に向くように配置されていることを特徴とする請求項３に記載の車両空調用冷却ユニット。
【請求項６】
請求項２に記載の車両空調用冷却ユニットを具備し、
前記第１の車両空調対象部位が２階建てバスにおける２階の車室であり、
前記第２の車両空調対象部位が２階建てバスにおける１階の車室であることを特徴とするバス車両用空調装置。
【発明の詳細な説明】
【０００１】
【産業上の利用分野】
本発明は冷却用熱交換器の空気下流側に所定間隔を介して対向配置された複数の送風機を有する車両空調用冷却ユニットに関するもので、例えば２階建てバスの車室内空調装置に用いて好適なものである。
【０００２】
【従来の技術】
従来、バス車両の最後部に配設されるバルクヘッド部に空調ユニットを配設し、この空調ユニット内に配設された冷却用熱交換器（冷凍サイクルの蒸発器）により空気を冷却し、この冷却された冷風を遠心送風機にて送出するタイプの空調装置が特開平２−２３４８３５号公報において提案されている。
【０００３】
この従来装置においては、冷却用熱交換器の空気下流側の左右側方にそれぞれ１階用および２階用の遠心送風機を配設し、この左右それぞれの送風機によって送風される冷風を吹出ダクトを介して１階および２階の車室内に吹き出させる構成となっている。
【０００４】
【発明が解決しようとする課題】
ところで、上記従来装置では、冷却用熱交換器の空気下流側の左右側方にそれぞれ１階用および２階用の遠心送風機を配設しているので、この遠心送風機の吸入側で空気の流れ方向が強制的に直角に曲げられ、吸入側の圧力損失が増大する。これにより、遠心送風機の性能低下を招くとともに、送風機風切り音の増加を招くという問題があった。
【０００５】
また、上記従来装置では、１フロア当たり、左右各１個、計２個の送風機を配設する構成であるので、大型のバス車両に適用する場合には冷房能力アップのために、送風機のファンの大径化および駆動用モータの大出力化は不可避であり、このようなファン大径化および駆動用モータの大出力化により騒音、振動の増大を招く。
【０００６】
この不具合を解消するために、冷却用熱交換器の空気下流側の左右側方にそれぞれ複数の遠心送風機を配設することも考えられるが、この場合には、遠心送風機の吹出口側空気流路を統合する煩雑な特殊ダクトが必要となり、コストアップを招く。
本発明は上記点に鑑みてなされたもので、吸入側の圧力損失を低減できるとともに、煩雑な特殊ダクトを必要とすることなく、小型の多数の送風機を容易に設置できる車両空調用冷却ユニットを提供することを目的とする。
【０００７】
【課題を解決するための手段】
本発明では、広い面積を持った冷却用熱交換器の空気下流側に形成される空間に着目し、この空間に冷却用熱交換器の空気下流側に対向する対向壁部材を設置するとともに、この対向壁部材により区画形成される空気チャンバーを形成し、この空気チャンバー内に小型の送風機を多数個設置できるようにし、かつこの空気チャンバーに、空調対象部位に空気を導く吹出ダクトを接続する構成とすることにより、上記目的を達成しようとするものである。
【０００８】
具体的には、本発明は上記目的を達成するため、以下の技術的手段を採用する。すなわち、請求項１記載の発明では、車両後部に配置される車両空調用冷却ユニットであって、
空気を冷却する冷却用熱交換器（１３）と、
この冷却用熱交換器（１３）の空気下流側に対向するように所定間隔を介して配置され、かつ空気流通用の空気開口（２３、２６）を有する対向壁部材（１６ａ、１６ｂ）と、
この対向壁部材（１６ａ、１６ｂ）より空気下流側に区画形成された空気チャンバー（２０、２１）と、
この空気チャンバー（２０、２１）内に設置された送風機（２２、２５）と、
前記空気チャンバー（２０、２１）に接続されるとともに車両前後方向に延びるように配置され、この空気チャンバー（２０、２１）内の空気を車両空調対象部位に導く吹出ダクト（２、２、３）とを具備し、
前記冷却用熱交換器（１３）は車両幅方向に延びる横長形状であり、
前記空気チャンバー（２０、２１）は車両幅方向に延びるように形成され、
前記送風機（２２、２５）は前記空気チャンバー（２０、２１）内にて車両幅方向に複数配置され、
前記複数の送風機（２２、２５）は、前記空気開口（２３、２６）の直後に配置され、前記空気開口（２３、２６）から吸入した空気を送風する遠心式多翼ファン（２２ｃ、２５ｃ）と、この遠心式多翼ファン（２２ｃ、２５ｃ）を内蔵するケーシング（２２ａ、２５ａ）と、このケーシング（２２ａ、２５ａ）に設けられ、前記遠心式多翼ファン（２２ｃ、２５ｃ）の送風空気を前記空気チャンバー（２０、２１）内に吹き出す吹出口（２２ｆ、２５ｆ）とを有する車両空調用冷却ユニットを特徴としている。
【０００９】
請求項２記載の発明では、車両後部に配置される車両空調用冷却ユニットであって、
水平方向に空気が流れるように配置され、空気を冷却する冷却用熱交換器（１３）と、
この冷却用熱交換器（１３）の空気下流側を上方側流路（１８）と下方側流路（１９）とに分割する隔壁部材（１７）と、
この隔壁部材（１７）により分割された前記上方側流路（１８）において前記冷却用熱交換器（１３）と対向するように配置された第１の対向壁部材（１６ａ）と、
前記隔壁部材（１７）により分割された前記下方側流路（１９）において前記冷却用熱交換器（１３）と対向するように配置された第２の対向壁部材（１６ｂ）と、
前記第１の対向壁部材（１６ａ）に設けられた第１の空気開口（２３）と、
前記第２の対向壁部材（１６ｂ）に設けられた第２の空気開口（２６）と、
前記上方側流路（１８）において、前記第１の対向壁部材（１６ａ）より空気下流側に区画形成された第１の空気チャンバー（２０）と、
前記下方側流路（１９）において、前記第２の対向壁部材（１６ｂ）より空気下流側に区画形成された第２の空気チャンバー（２１）と、
前記第１の空気チャンバー（２０）内に設置された第１の送風機（２２）と、
前記第２の空気チャンバー（２１）内に設置された第２の送風機（２５）と、
前記第１の空気チャンバー（２０）に接続されるとともに車両前後方向に延びるように配置され、この第１の空気チャンバー（２０）内の空気を第１の車両空調対象部位に導く第１の吹出ダクト（２、２）と、
前記第２の空気チャンバー（２１）に接続されされるとともに車両前後方向に延びるように配置され、この第２の空気チャンバー（２１）内の空気を第２の車両空調対象部位に導く第２の吹出ダクト（３）とを具備し、
前記冷却用熱交換器（１３）は車両幅方向に延びる横長形状であり、
前記第１の空気チャンバー（２０）および前記第２の空気チャンバー（２１）は車両幅方向に延びるように形成され、
前記第１の送風機（２２）は前記第１の空気チャンバー（２０）内にて車両幅方向に複数配置され、前記第２の送風機（２５）は前記第２の空気チャンバー（２１）内にて車両幅方向に複数配置され、
前記第１の送風機（２２）および前記第２の送風機（２５）は、それぞれ、前記第１、第２の空気開口（２３、２６）の直後に配置され、前記第１、第２の空気開口（２３、２６）から吸入した空気を送風する遠心式多翼ファン（２２ｃ、２５ｃ）と、この遠心式多翼ファン（２２ｃ、２５ｃ）を内蔵するケーシング（２２ａ、２５ａ）と、このケーシング（２２ａ、２５ａ）に設けられ、前記遠心式多翼ファン（２２ｃ、２５ｃ）の送風空気を前記第１、第２の空気チャンバー（２０、２１）内に吹き出す吹出口（２２ｆ、２５ｆ）とを有する車両空調用冷却ユニットを特徴としている。
【００１１】
請求項３記載の発明では、請求項１または２に記載の車両空調用冷却ユニットにおいて、前記送風機（２２、２５）が車両幅方向に少なくとも３個以上並列配置されていることを特徴とする。
【００１２】
請求項４記載の発明では、請求項３に記載の車両空調用冷却ユニットにおいて、前記少なくとも３個以上の送風機（２２）の吹出方向が、前記冷却用熱交換器（１３）を通過する空気流れ方向に対して、それぞれずれるように、前記少なくとも３個以上の送風機（２２）が車両幅方向に階段状に並列配置されていることを特徴とする。
請求項５記載の発明では、請求項３に記載の車両空調用冷却ユニットにおいて、前記少なくとも３個以上の送風機（２５）が車両幅方向に直線状に配置され、
かつ前記吹出ダクト（３）が前記少なくとも３個以上の送風機（２５）の車両幅方向中央部位に位置するように配設されており、
前記少なくとも３個以上の送風機（２５）から前記空気チャンバー（２１）内に空気を吹き出す前記吹出口（２５ｆ）が、前記吹出ダクト（３）の方向に向くように配置されていることを特徴とする。
【００１３】
請求項６記載の発明では、請求項２に記載の車両空調用冷却ユニット（１１）を具備し、  前記第１の空調対象部位が２階建てバスにおける２階の車室であり、
前記第２の空調対象部位が２階建てバスにおける１階の車室であるバス車両用空調装置を特徴としている。
【００１４】
なお、上記各手段の括弧内の符号は、後述する実施例記載の具体的手段との対応関係を示すものである。
【００１５】
【発明の作用効果】
請求項１ないし６記載の発明によれば、上記技術的手段を有しているため、冷却用熱交換器を通過した冷風をそのまま直進させて、送風機に吸入させることができるから、送風機における吸入側圧力損失を著しく低減でき、送風能力の向上を図ることができるとともに、送風騒音を低減できる。
【００１６】
また、冷却用熱交換器の対向壁部材より下流側に空気チャンバーを形成して、この空気チャンバー内に送風機を設置しているから、送風機を多数個設置する場合にも、多数の送風機の吹出空気が一旦、空気チャンバー内に吹き出され、この空気チャンバー内圧力を昇圧した後に吹出ダクト側へ空気を流出させることができ、そのため多数の送風機の吹出側に煩雑な特殊ダクトを設置する必要がなく、小型の多数の送風機を容易に設置できる。
【００１７】
このように、必要冷房能力を発揮するための送風機として、小型なものを多数使用することにより、送風機から発生する騒音、振動を一層効果的に低減できる。さらに、上記空気チャンバーを備えることにより、上記空気チャンバーにおいて吹出ダクトの配置場所を比較的自由に設定できるので、スペース的制約の大きい車両においても、冷却ユニットの搭載が容易となる。
【００１８】
上記に加えて、請求項４記載の発明では、３個以上の送風機を階段状に配置することより、各送風機の吹出口から吹き出す空気が相互に衝突、干渉することがないので、各送風機の吹出口からの吹出空気が円滑に流れ、より一層の騒音低減、圧力損失低減を図ることができる。
また、請求項５記載の発明では、３個以上の送風機の吹出口すべてを、中央部の１つの吹出ダクトに向けて方向づけているから、やはり、各送風機の吹出口からの吹出空気が円滑に流れ、より一層の騒音低減、圧力損失低減を図ることができる。
【００１９】
【実施例】
以下、本発明を図に示す実施例について説明する。
図１〜図６は本発明を２階建てバス車両用空調装置に適用した一実施例を示しており、図６はバス車両の全体の概要を示すもので、１はバス車両の最後部のバルクヘッド部に配設された空調ユニットで、２はこの空調ユニット１で空調された空気をバス車両の２階の車室内天井部に導く２階用吹出ダクトで、２階の車室内天井部の左右両側に配設され、バス車両前後方向に長く延びている。
【００２０】
３は前記空調ユニット１で空調された空気をバス車両の１階の車室内天井部に導く１階用吹出ダクトで、１階の車室内天井部の中央部に配設され（図２参照）、バス車両前後方向に長く延びている。
上記２階用および１階用吹出ダクト２、３には、それぞれ図示しない多数の吹出口が設けられている。
【００２１】
４は後述する凝縮器冷却用外気を取り入れる外気取り入れ口で、バス車両の側面から外気を取り入れるようになっている。５は凝縮器冷却後の空気（温風）を排出する凝縮器空気排出口で、バス車両後面から空気を排出するようになっている。６は凝縮器用送風機で、多数個（本例では６個）の並列配置された軸流ファンが用いられている。なお、凝縮器空気排出口５は図６に明示されていないが、バス車両後面の幅方向の略全長にわたって、多数個の凝縮器用送風機６に対向して形成されている。
【００２２】
図１〜図４は本発明の要部をなす空調ユニット部分を示しており、１０は空調ユニット１の外郭を形成する本体ケースで、図２に示すように車両幅方向に長い横長の略直方体状に形成されている。この本体ケース１０は鉄板等の金属板で構成され、上下方向に２つの部分に断熱して区画されており、上部の区画にて冷却ユニット１１を形成し、そして下部の区画にて凝縮ユニット１２を形成している。  上部の冷却ユニット１１内の車両前方側には、車両幅方向に長く延びた横長の蒸発器１３が配置されている。この蒸発器１３は図示しない車両走行用エンジンにより駆動される圧縮機により冷媒が循環する冷凍サイクルに設けられ、冷媒の蒸発潜熱により送風空気を冷却するものである。
【００２３】
そして、冷却ユニット１１の車室側端面の左右両側には、図２に示すように縦長の第１内気吸入口１４、１４が設けられている。
また、前記１階用吹出ダクト３は、図２に示すように、縦長の第１内気吸入口１４、１４に挟まれた、冷却ユニット１１の幅方向中央位置に配置されており、この１階用吹出ダクト３の上側に第２内気吸入口１５が設けられている。
【００２４】
従って、これらの第１、第２内気吸入口１４、１４、１５から車室内空気（内気）が冷却ユニット１１内に吸入され、蒸発器１３に流入するようになっている。
蒸発器１３の空気下流側（車両後方側）には、所定間隔を介して蒸発器１３と対向するように上下方向に延びる対向壁板１６ａ、１６ｂが配置されている。この両対向壁板１６ａ、１６ｂは鉄板等の金属板で構成されている。
【００２５】
また、蒸発器１３の空気下流側（車両後方側）流路は、水平方向に延びる隔壁板１７により上方側流路１８と下方側流路１９とに分割されている。そして、上方側流路１８には前記対向壁板１６ａが、また下方側流路１９には前記対向壁板１６ｂが、それぞれ横断しており、上方側流路１８において対向壁板１６ａより下流側に上方側の空気チャンバー２０が区画形成されており、また下方側流路１９において対向壁板１６ｂより下流側に下方側の空気チャンバー２１が区画形成されている。
【００２６】
上方側流路１８に位置する対向壁板１６ａは図３に示すように車両幅方向の中央部が蒸発器１３より最も遠く離れるようした階段状の形状に形成されており、そしてこの対向壁板１６ａには、多数個、本例では６個の送風機２２が設置されている。
この送風機２２の設置形態について、より詳細に述べると、対向壁板１６ａには送風機２２の設置個数と同数の空気開口２３が設けられており、この空気開口２３にそれぞれ各送風機２２のケーシング２２ａの吸入口２２ｂが連通するようにして、各送風機２２のケーシング２２ａが対向壁板１６ａにネジ止め等の手段により固定されている。
【００２７】
ここで、各送風機２２は上方側の空気チャンバー２０内に収納されるように配置されている。各送風機２２は図１に示すように遠心式多翼ファン（シロッコファン）２２ｃをスクロール状のケーシング２２ａ内に収納し、このファン２２ｃを回転軸２２ｄを介してモータ２２ｅにより駆動する構成となっている。
前記上方側の空気チャンバー２０の天井部の左右両側には、吹出空気口２４、２４が設けられ、この吹出空気口２４、２４に前記した２階用吹出ダクト２、２の入口部が接続されている。
【００２８】
６個の送風機２２のスクロール状のケーシング２２ａから上方側の空気チャンバー２０内に空気を吹き出す吹出口２２ｆの方向は、上記吹出空気口２４、２４に円滑に空気を流すように設定されている。すなわち、左側の３個の送風機２２は図５に示すように左側の吹出空気口２４に吹出口２２ｆが向くように配置され、右側の３個の送風機２２は図５に示すように右側の吹出空気口２４に吹出口２２ｆが向くように配置されている。
【００２９】
一方、下方側流路１９に位置する対向壁板１６ｂは図４に示すように車両幅方向に直線状に延びるように形成されており、そしてこの対向壁板１６ｂにも、多数個、本例では６個の送風機２５が設置されている。
この送風機２５も前記送風機２２と同様な設置形態となっており、対向壁板１６ｂには送風機２５の設置個数と同数の空気開口２６が設けられており、この空気開口２６にそれぞれ各送風機２５のケーシング２５ａの吸入口２５ｂが連通するようにして、各送風機２５のケーシング２５ａが対向壁板１６ｂにネジ止め等の手段により固定されている。
【００３０】
ここで、各送風機２５は下方側の空気チャンバー２１内に収納されるように配置されている。各送風機２５は図１に示すように遠心式多翼ファン（シロッコファン）２５ｃをスクロール状のケーシング２５ａ内に収納し、このファン２５ｃを回転軸２５ｄを介してモータ２５ｅにより駆動する構成となっている。
そして、下方側の空気チャンバー２１の下方部から蒸発器１３の下方側を通って、本体ケース１０の車両前方側に向かって接続ダクト２７が設置されており、この接続ダクト２７は吹出空気口２８に連通している。この吹出空気口２８は、本体ケース１０の車両前方側端面において車両幅方向の中央部位に位置するように設けられており、この吹出空気口２８には前記した１階用吹出ダクト３の入口部が接続されている。
【００３１】
６個の送風機２５のスクロール状のケーシング２５ａから下方側の空気チャンバー２１内に空気を吹き出す吹出口２５ｆの方向は、上記中央部の吹出空気口２８に円滑に空気を流すように設定されている。すなわち、左側の３個の送風機２５の吹出口２５ｆは図５に示すように右斜め下方に向き、右側の３個の送風機２５の吹出口２５ｆは図５に示すように左斜め下方に向くように、各送風機２５の吹出口２５ｆの方向が設定されている。
【００３２】
なお、図１において、２９は凝縮器で、図示しない圧縮機から吐出された冷媒ガスを送風機６により送風される外気と熱交換して冷却し、凝縮させるものである。６ａは送風機６の駆動用モータである。図２において、３０は１階の車室内最後部の座席であり、３１はバス車両最後部のバルクヘッド部を示す。
次に、上記構成において本実施例の作動を説明する。冷凍サイクルの圧縮機が車両走行用エンジンにより駆動され、圧縮機が作動すると、冷凍サイクルの蒸発器１３および凝縮器２９に冷媒が循環し、蒸発器１３で冷媒の蒸発が行われ、凝縮器２９で冷媒の凝縮が行われる。
【００３３】
また、各送風機２２、２５、６の駆動用モータ２２ｅ、２５ｅ、６ａに通電することより、各送風機２２、２５、６が作動する。そして、送風機２２、２５の作動により車室内空気が第１、第２内気吸入口１４、１５から本体ケース１０内に吸入され、蒸発器１３を通過し、ここで冷却され、冷風となる。
そして、この冷風は、蒸発器１３通過後、曲がることなく、ほぼ直進して圧力損失の少ない状態で、対向壁板１６ａ、１６ｂの空気開口２３、２６を通って送風機２２、２５に吸入される。この送風機２２、２５において冷風は昇圧された後、空気チャンバー２０、２１に流入する。
【００３４】
上方側の空気チャンバー２０に流入した冷風は、吹出空気口２４を通って２階用吹出ダクト２、２内に流入し、この２階用吹出ダクト２、２に設けられた多数の吹出口から冷風は２階の車室の天井部から２階の車室内へ吹き出し、２階の車室を冷房する。
一方、下方側の空気チャンバー２１に流入した冷風は、接続ダクト２７を通って吹出空気口２８に至り、この吹出空気口２８から１階用吹出ダクト３内に流入する。そして、この１階用吹出ダクト３に設けられた多数の吹出口から冷風は１階の車室の天井部から１階の車室内へ吹き出し、１階の車室を冷房する。
【００３５】
凝縮ユニット１２においては、送風機６の作動により外気が取り入れ口４から流入して凝縮器２９を通過し、ここで冷媒ガスを冷却して凝縮させる。凝縮器２９を通過して温度上昇した外気は車両後面の排出口５から外部へ排出される。
車両側面の取り入れ口４から流入する外気は、図示しない外気導入通路およびこの通路に設けられたダンパ機構より必要に応じて蒸発器１３の上流側に導入できるようになっているので、この外気導入により車室内の換気を必要に応じて実施できる。
【００３６】
ところで、本実施例では上記した構成を有しているため、次の作用効果を奏することができる。
先ず、第１に、蒸発器１３の対向壁板１６ａ、１６ｂより下流側に空気チャンバー２０、２１を形成して、この空気チャンバー２０、２１内に送風機２２、２５を設置しているから、送風機２２、２５を多数個設置する場合にも、多数の送風機２２、２５の吹出空気が一旦、空気チャンバー２０、２１内に吹き出され、この空気チャンバー２０、２１内圧力を昇圧した後に吹出ダクト側へ空気を流出させることができ、そのため多数の送風機２２、２５の吹出側に煩雑な特殊ダクトを設置する必要がなく、かつ対向壁板１６ａ、１６ｂは単純な板形状でよいため、小型の多数の送風機２２、２５を容易に設置できる。
【００３７】
そして、必要冷房能力を発揮するための送風機２２、２５として、小型なものを多数使用することにより、送風機２２、２５から発生する騒音、振動を効果的に低減できる。
また、対向壁板１６ａ、１６ｂに、送風機２２、２５のケーシング２２ａ、２５ａの取付穴を設けるに当たって、送風機２２、２５の回転中心を中心とする同一円上にケーシング２２ａ、２５ａ側の取付穴より多数の取付穴を予め開けておくことにより、この取付穴の選択により送風機２２、２５のケーシング２２ａ、２５ａの取付位置（吹出口２２ｆ、２５ｆの吹出方向）を簡単に調整できる。
【００３８】
また、多数個の送風機２２、２５を空気チャンバー２０、２１内に収納しているから、多数個の送風機２２、２５のモータ作動音、ファン風切り音等が外部へ伝播するのを空気チャンバー２０、２１により低減できる。
また、上記空気チャンバー２０、２１を備えることにより、吹出空気開口２４、２８の位置を比較的自由に設定できるため、吹出ダクト２、２、３の配置場所設定の自由度が増す。そのため、スペース的制約の大きい車両においても、冷却ユニット１１の車両への搭載が容易となる。
【００３９】
さらに、また、蒸発器１３を通過した冷風をそのまま直進させて、多数個の送風機２２、２５に吸入させているから、この多数個の送風機２２、２５における吸入側圧力損失を著しく低減できる。
また、上方側の空気チャンバー２０においては、図３に示すように、６個の送風機２２を階段状に配置することより、各送風機２２の吹出口２２ｆから吹き出す空気が相互に衝突、干渉することがないので、各送風機２２の吹出口２２ｆからの吹出空気が円滑に流れ、より一層の騒音低減、圧力損失低減を図ることができる。
【００４０】
また、下方側の空気チャンバー２１においては、図５に示すように、６個の送風機２５の吹出口２５ｆすべてを、中央部の１つの吹出空気開口２８に向けて方向づけているから、やはり、各送風機２５の吹出口２５ｆからの吹出空気が円滑に流れ、より一層の騒音低減、圧力損失低減を図ることができる。
なお、上述の実施例では、本発明をバス車両空調装置に適用した場合について述べたが、本発明はこれに限定されることなく、空調用冷却ユニット一般に広く適用できることはもちろんである。
【図面の簡単な説明】
【図１】本発明の一実施例を示す空調ユニットの縦断面図である。
【図２】図１の空調ユニットの設置形態を示すバス車両後部の斜視図である。
【図３】図１のＡ−Ａ断面図である。
【図４】図１のＢ−Ｂ断面図である。
【図５】図１の送風機２２、２５部分における要部断面図である。
【図６】図１の空調ユニットの設置形態を示すバス車両全体の斜視図である。
【符号の説明】
１…空調ユニット、２、３…吹出ダクト、１０…本体ケース、
１１…冷却ユニット、１２…凝縮ユニット、１３…蒸発器、
１６ａ、１６ｂ…対向壁板、１７…隔壁板、１８…上方側流路、
１９…下方側流路、２０、２１…空気チャンバー、２２、２５…送風機、
２３、２６…空気開口。
【図１】
0003603370.tif 000002
【図２】
0003603370.tif 000003
【図３】
0003603370.tif 000004
【図４】
0003603370.tif 000005
【図５】
0003603370.tif 000006
【図６】
0003603370.tif 000007